(57)【要約】【課題】蓋フラップで箱本体を閉塞する状態で、蓋フラップの隙間から害虫等が侵入するの確実に阻止する。【解決手段】物品の収納箱は、第１ないし第４の側壁片を連結してなる箱本体１の両端開口部を底フラップ３と蓋フラップ２で閉塞している。収納箱は、第２の側壁片１Ｂに第２の蓋フラップ２Ｂを、第３の側壁片１Ｃに第３の蓋フラップ２Ｃを、第４の側壁片１Ｄに第４の蓋フラップ２Ｄを、各々山折り線１０を介して連結している。第３の蓋フラップ２Ｃは、閉塞プレート部５を設けている。第２と第４の蓋フラップ２は、側壁片に連結しているラップ部７と、閉塞プレート部５に連結している隙間閉塞部８とを備える。ラップ部７と隙間閉塞部８は、谷折り線１１を介して連結している。隙間閉塞部８は、全体の形状を三角形としている。収納箱は、隙間閉塞部８でラップ部７と閉塞プレート部５との隙間を閉塞している。【選択図】図３
2007223648.tif 000002
【特許請求の範囲】
【請求項１】
第１ないし第４の側壁片を折曲してなる山折り線(10)を介して連結して四角筒状の箱本体(1)としており、さらに、側壁片の端縁に底フラップ(3)と蓋フラップ(2)を連結して、この底フラップ(3)と蓋フラップ(2)でもって、箱本体(1)の両端開口部を閉塞する物品の収納箱であって、
第２の側壁片(1B)に第２の蓋フラップ(2B)を、第３の側壁片(1C)に第３の蓋フラップ(2C)を、第４の側壁片(1D)に第４の蓋フラップ(2D)を、各々山折り線(10)を介して連結しており、
第３の蓋フラップ(2C)は、箱本体(1)の開口部の外形とする四角形の閉塞プレート部(5)を設けており、
第２の蓋フラップ(2B)は、山折り線(10)を介して第２の側壁片(1B)に連結しているラップ部(7)と、第３の蓋フラップ(2C)の閉塞プレート部(5)に山折り線(10)を介して連結している隙間閉塞部(8)とを備えると共に、ラップ部(7)と隙間閉塞部(8)とは谷折り線(11)を介して連結しており、
第４の蓋フラップ(2D)は、山折り線(10)を介して第４の側壁片(1D)に連結しているラップ部(7)と、第３の蓋フラップ(2C)の閉塞プレート部(5)に山折り線(10)を介して連結している隙間閉塞部(8)とを備えると共に、ラップ部(7)と隙間閉塞部(8)とは谷折り線(11)を介して連結しており、
ラップ部(7)は、側壁片との境界にある山折り線(10)から切断縁(7A)までの長さ（Ｌ2）を、閉塞プレート部(5)の幅（Ｌ3）の半分よりも短くしており、
隙間閉塞部(8)は、全体の形状を三角形として、閉塞プレート部(5)に連結される山折り線(10)を底辺とし、ラップ部(7)との境界にある谷折り線(11)と切断縁(8A)を斜辺としており、この隙間閉塞部(8)でラップ部(7)と閉塞プレート部(5)との隙間を閉塞するようにしてなる物品の収納箱。
【請求項２】
ラップ部(7)と隙間閉塞部(8)との間の谷折り線(11)の一部に、一端又は両端部を残して切断線(9)を設けている請求項１に記載される物品の収納箱。
【請求項３】
切断線(9)が、一端に傾斜切断線(9A)を設けて、切断線(9)の端部を谷折り線(11)に連結している請求項２に記載される物品の収納箱。  
【請求項４】
切断線(9)が、両端に傾斜切断線(9A)を設けて、切断線(9)の端部を谷折り線(11)に連結している請求項２に記載される物品の収納箱。
【請求項５】
第１ないし第４の側壁片を折曲してなる山折り線(10)を介して連結して四角筒状の箱本体(1)としており、さらに、側壁片の端縁に底フラップ(3)と蓋フラップ(2)を連結して、この底フラップ(3)と蓋フラップ(2)でもって、箱本体(1)の両端開口部を閉塞する物品の収納箱であって、
第１の側壁片(1A)に第１の蓋フラップ(2A)を、第２の側壁片(1B)に第２の蓋フラップ(2B)を、第３の側壁片(1C)に第３の蓋フラップ(2C)を、第４の側壁片(1D)に第４の蓋フラップ(2D)を、各々山折り線(10)を介して連結しており、
第３の蓋フラップ(2C)は、箱本体(1)の開口部の外形とする四角形の閉塞プレート部(5)を設けており、
第２の蓋フラップ(2B)は、山折り線(10)を介して第２の側壁片(1B)に連結しているラップ部(7)と、第３の蓋フラップ(2C)に山折り線(10)を介して連結している隙間閉塞部(8)とを備えると共に、ラップ部(7)と隙間閉塞部(8)とは谷折り線(11)を介して連結しており、
第４の蓋フラップ(2D)は、山折り線(10)を介して第４の側壁片(1D)に連結しているラップ部(7)と、第３の蓋フラップ(2C)に山折り線(10)を介して連結している隙間閉塞部(8)とを備えると共に、ラップ部(7)と隙間閉塞部(8)とは谷折り線(11)を介して連結しており、
ラップ部(7)は、側壁片との境界にある山折り線(10)から切断縁(7A)までの長さ（Ｌ2）を、閉塞プレート部(5)の幅（Ｌ3）の半分よりも短くしており、
隙間閉塞部(8)は、全体の形状を三角形として、閉塞プレート部(5)に連結される山折り線(10)を底辺とし、ラップ部(7)との境界にある谷折り線(11)と切断縁(8A)を斜辺としており、
さらに、第１の蓋フラップ(2A)をラップ部(7)の上に積層して蓋フラップ(2)が箱本体(1)を閉塞すると共に、第１の蓋フラップ(2A)の両側切断縁(12)が側壁片との山折り線(10)に対して角度α傾斜し、この傾斜角αは３０度ないし６０度の範囲にあり、かつ、隙間閉塞部(8)の切断縁(8A)は閉塞プレート部(5)との山折り線(10)に対して（９０−α）傾斜しており、
隙間閉塞部(8)でラップ部(7)と閉塞プレート部(5)との隙間を閉塞し、さらに、第１の蓋フラップ(2A)と隙間閉塞部(8)とがラップ部(7)の上面に、互いに接近して積層されるようにしてなる物品の収納箱。
【請求項６】
第１ないし第４の側壁片を折曲してなる山折り線(10)を介して連結して四角筒状の箱本体(1)としており、さらに、側壁片の端縁に底フラップ(3)と蓋フラップ(2)を連結して、この底フラップ(3)と蓋フラップ(2)でもって、箱本体(1)の両端開口部を閉塞する物品の収納箱であって、
第１の側壁片(1A)に第１の蓋フラップ(2A)を、第２の側壁片(1B)に第２の蓋フラップ(2B)を、第３の側壁片(1C)に第３の蓋フラップ(2C)を、第４の側壁片(1D)に第４の蓋フラップ(2D)を、各々山折り線(10)を介して連結しており、
第３の蓋フラップ(2C)は、箱本体(1)の開口部の外形とする四角形の閉塞プレート部(5)を設けており、
第２の蓋フラップ(2B)は、山折り線(10)を介して第２の側壁片(1B)に連結しているラップ部(7)と、第３の蓋フラップ(2C)に山折り線(10)を介して連結している隙間閉塞部(8)とを備えると共に、ラップ部(7)と隙間閉塞部(8)とは谷折り線(11)を介して連結しており、
第４の蓋フラップ(2D)は、山折り線(10)を介して第４の側壁片(1D)に連結しているラップ部(7)と、第３の蓋フラップ(2C)に山折り線(10)を介して連結している隙間閉塞部(8)とを備えると共に、ラップ部(7)と隙間閉塞部(8)とは谷折り線(11)を介して連結しており、
ラップ部(7)は、側壁片との境界にある山折り線(10)から切断縁(7A)までの長さ（Ｌ2）を、閉塞プレート部(5)の幅（Ｌ3）の半分よりも短くしており、
隙間閉塞部(8)は、全体の形状を三角形として、閉塞プレート部(5)に連結される山折り線(10)を底辺とし、ラップ部(7)との境界の谷折り線(11)と切断縁(8A)を斜辺としており、
さらに、第１の蓋フラップ(2A)をラップ部(7)の下に積層して蓋フラップ(2)が箱本体(1)を閉塞しており、
隙間閉塞部(8)でラップ部(7)と閉塞プレート部(5)との隙間を閉塞し、さらに、第１の蓋フラップ(2A)が、側壁片と間の山折り線(10)の復元力でラップ部(7)の裏面を押圧して、ラップ部(7)を閉塞プレート部(5)の内面に密着させるようにしてなる物品の収納箱。
【請求項７】
第１の側壁片(1A)に第１の蓋フラップ(2A)を山折り線(10)を介して連結しており、第１の蓋フラップ(2A)は、第１の側壁片(1A)との山折り線(10)に沿って、両端を連結して全長を第１の側壁片(1A)に連結される山折り線(10)よりも短くしている挿入スリット(4)を設けており、さらに、閉塞プレート部(5)の端縁に山折り線(10)を介して、挿入スリット(4)に脱着できるように挿入される挿入脱着片(6)を設けている請求項１ないし６のいずれかに記載される物品の収納箱。
【発明の詳細な説明】
【技術分野】
【０００１】
本発明は、物品の収納箱に関し、とくに開閉できる蓋フラップで箱本体の開口部を閉塞しながら、蓋フラップの閉塞状態で、害虫の侵入を阻止できる収納箱に関する。
【背景技術】
【０００２】
４つの側壁片が直角に折曲される山折り線で連結されて箱本体となり、この箱本体の両端開口部を、底フラップと蓋フラップとで閉塞する物品の収納箱は開発されている。この収納箱は、対向する側壁片に蓋フラップを設けると共に、開口部の全体を閉塞する外形である一方の蓋フラップの端縁に挿入脱着片を設け、この挿入脱着片を挿入する挿入スリットを他方の蓋フラップと側壁片との間の山折り線に設けている。挿入脱着片が挿入スリットに挿入されて、蓋フラップは箱本体の開口部を閉塞する。この構造の収納箱は、蓋フラップを閉塞する状態で害虫等の異物の混入を阻止することが大切である。このことを実現するために独特の構造の収納箱が開発されている。（特許文献１参照）
【特許文献１】特開２００１−３０１７４１号公報
【特許文献２】実用新案登録第３１０２８１１号公報
【発明の開示】
【発明が解決しようとする課題】
【０００３】
特許文献１に記載される収納箱は、蓋フラップを閉塞位置に停止して異物の混入を防止する。このことを実現するために、蓋フラップに連結している挿入脱着片に係止突部を設け、箱本体にはこの係止突部を係止する係止受部を設けている。この収納箱は、蓋フラップの挿入脱着片を抜けないように箱本体に連結できる。したがって、蓋フラップが開いて異物が混入するのは防止できる。しかしながら、蓋フラップで箱本体を閉塞する状態で、蓋フラップの間にできる微細な隙間から小さい害虫等が侵入するのを確実には阻止できない。
【０００４】
本発明の第１の目的は、蓋フラップで箱本体を閉塞する状態で、蓋フラップの隙間から害虫等が侵入するの確実に阻止できる物品の収納箱を提供することにある。
【０００５】
さらに、蓋フラップの端縁に設けている挿入脱着片を挿入スリットに入れて、箱本体の開口部を閉塞する収納箱は、挿入スリットの両側に連結部を設ける構造として、便利に使用できる（特許文献２参照）。それは、この構造の収納箱は、図１に示すように、挿入脱着片２６の幅を、蓋フラップ２２と底フラップ２３の間の山折り線３０よりも短くして、挿入脱着片２６の両端を箱本体２１に係止できる構造とし、あるいは幅の狭い挿入脱着片２６をスムーズに挿入スリット２４に出し入れできるからである。しかしながら、この構造の収納箱は、挿入脱着片２６を挿入スリット２４に入れる状態で、図２に示すように、蓋フラップ２２の内面に隙間Ｓができ、この隙間Ｓから小さい害虫等が侵入するおそれがある。
【０００６】
本発明の第２の目的はこの欠点を解決すること、すなわち、挿入脱着片を挿入スリットに入れて箱本体の開口部を閉塞する状態で、挿入脱着片の両側にあって蓋フラップの内面にできる隙間を閉塞して、この隙間から害虫が侵入するのも阻止でき物品の収納箱を提供することにある。
【課題を解決するための手段】
【０００７】
本発明の請求項１の物品の収納箱は、第１ないし第４の側壁片を折曲してなる山折り線１０を介して連結して四角筒状の箱本体１としており、さらに、側壁片の端縁に底フラップ３と蓋フラップ２を連結して、この底フラップ３と蓋フラップ２でもって、箱本体１の両端開口部を閉塞している。収納箱は、第２の側壁片１Ｂに第２の蓋フラップ２Ｂを、第３の側壁片１Ｃに第３の蓋フラップ２Ｃを、第４の側壁片１Ｄに第４の蓋フラップ２Ｄを、各々山折り線１０を介して連結している。第３の蓋フラップ２Ｃは、箱本体１の開口部の外形とする四角形の閉塞プレート部５を設けている。第２の蓋フラップ２Ｂは、山折り線１０を介して第２の側壁片１Ｂに連結しているラップ部７と、第３の蓋フラップ２Ｃの閉塞プレート部５に山折り線１０を介して連結している隙間閉塞部８とを備えると共に、ラップ部７と隙間閉塞部８とは谷折り線１１を介して連結している。第４の蓋フラップ２Ｄは、山折り線１０を介して第４の側壁片１Ｄに連結しているラップ部７と、第３の蓋フラップ２Ｃの閉塞プレート部５に山折り線１０を介して連結している隙間閉塞部８とを備えると共に、ラップ部７と隙間閉塞部８とは谷折り線１１を介して連結している。ラップ部７は、側壁片との境界にある山折り線１０から切断縁７Ａまでの長さ（Ｌ2）を、閉塞プレート部５の幅（Ｌ3）の半分よりも短くしている。隙間閉塞部８は、全体の形状を三角形として、閉塞プレート部５に連結される山折り線１０を底辺とし、ラップ部７との境界にある谷折り線１１と切断縁８Ａを斜辺としている。収納箱は、隙間閉塞部８でラップ部７と閉塞プレート部５との隙間を閉塞している。
【０００８】
本発明の物品の収納箱は、ラップ部７と隙間閉塞部８との間の谷折り線１１の一部に、一端又は両端部を残して切断線９を設けることができる。この切断線９は、一端に傾斜切断線９Ｂを設けて、切断線９の端部を谷折り線１１に連結することができる。また、切断線９は、両端に傾斜切断線９Ｂを設けて、切断線９の端部を谷折り線１１に連結することができる。
【０００９】
本発明の請求項５の物品の収納箱は、第１ないし第４の側壁片を折曲してなる山折り線１０を介して連結して四角筒状の箱本体１としており、さらに、側壁片の端縁に底フラップ３と蓋フラップ２を連結して、この底フラップ３と蓋フラップ２でもって、箱本体１の両端開口部を閉塞している。収納箱は、第１の側壁片１Ａに第１の蓋フラップ２Ａを、第２の側壁片１Ｂに第２の蓋フラップ２Ｂを、第３の側壁片１Ｃに第３の蓋フラップ２Ｃを、第４の側壁片１Ｄに第４の蓋フラップ２Ｄを、各々山折り線１０を介して連結している。第３の蓋フラップ２Ｃは、箱本体１の開口部の外形とする四角形の閉塞プレート部５を設けている。第２の蓋フラップ２Ｂは、山折り線１０を介して第２の側壁片１Ｂに連結しているラップ部７と、第３の蓋フラップ２Ｃに山折り線１０を介して連結している隙間閉塞部８とを備えると共に、ラップ部７と隙間閉塞部８とは谷折り線１１を介して連結している。第４の蓋フラップ２Ｄは、山折り線１０を介して第４の側壁片１Ｄに連結しているラップ部７と、第３の蓋フラップ２Ｃに山折り線１０を介して連結している隙間閉塞部８とを備えると共に、ラップ部７と隙間閉塞部８とは谷折り線１１を介して連結している。ラップ部７は、側壁片との境界にある山折り線１０から切断縁７Ａまでの長さ（Ｌ2）を、閉塞プレート部５の幅（Ｌ3）の半分よりも短くしている。隙間閉塞部８は、全体の形状を三角形として、閉塞プレート部５に連結される山折り線１０を底辺とし、ラップ部７との境界にある谷折り線１１と切断縁８Ａを斜辺としている。さらに、収納箱は、第１の蓋フラップ２Ａをラップ部７の上に積層して蓋フラップ２が箱本体１を閉塞している。第１の蓋フラップ２Ａの両側切断縁１２は、側壁片との山折り線１０に対して角度α傾斜している。この傾斜角αは、３０度ないし６０度の範囲にあり、かつ、隙間閉塞部８の切断縁８Ａは、閉塞プレート部５との山折り線１０に対して（９０−α）傾斜している。収納箱は、隙間閉塞部８でラップ部７と閉塞プレート部５との隙間を閉塞し、さらに、第１の蓋フラップ２Ａと隙間閉塞部８とをラップ部７の上面に、互いに接近させて積層している。
【００１０】
本発明の請求項６の物品の収納箱は、第１ないし第４の側壁片を折曲してなる山折り線１０を介して連結して四角筒状の箱本体１としており、さらに、側壁片の端縁に底フラップ３と蓋フラップ２を連結して、この底フラップ３と蓋フラップ２でもって、箱本体１の両端開口部を閉塞している。収納箱は、第１の側壁片１Ａに第１の蓋フラップ２Ａを、第２の側壁片１Ｂに第２の蓋フラップ２Ｂを、第３の側壁片１Ｃに第３の蓋フラップ２Ｃを、第４の側壁片１Ｄに第４の蓋フラップ２Ｄを、各々山折り線１０を介して連結している。第３の蓋フラップ２Ｃは、箱本体１の開口部の外形とする四角形の閉塞プレート部５を設けている。第２の蓋フラップ２Ｂは、山折り線１０を介して第２の側壁片１Ｂに連結しているラップ部７と、第３の蓋フラップ２Ｃに山折り線１０を介して連結している隙間閉塞部８とを備えると共に、ラップ部７と隙間閉塞部８とは谷折り線１１を介して連結している。第４の蓋フラップ２Ｄは、山折り線１０を介して第４の側壁片１Ｄに連結しているラップ部７と、第３の蓋フラップ２Ｃに山折り線１０を介して連結している隙間閉塞部８とを備えると共に、ラップ部７と隙間閉塞部８とは谷折り線１１を介して連結している。ラップ部７は、側壁片との境界にある山折り線１０から切断縁７Ａまでの長さ（Ｌ2）を、閉塞プレート部５の幅（Ｌ3）の半分よりも短くしている。隙間閉塞部８は、全体の形状を三角形として、閉塞プレート部５に連結される山折り線１０を底辺とし、ラップ部７との境界にある谷折り線１１と切断縁８Ａを斜辺としている。さらに、収納箱は、第１の蓋フラップ２Ａをラップ部７の下に積層して蓋フラップ２が箱本体１を閉塞している。収納箱は、隙間閉塞部８でラップ部７と閉塞プレート部５との隙間を閉塞し、さらに、第１の蓋フラップ２Ａが、側壁片と間の山折り線１０の復元力でラップ部７の裏面を押圧して、ラップ部７を閉塞プレート部５の内面に密着させている。
【００１１】
本発明の物品の収納箱は、第１の側壁片１Ａに第１の蓋フラップ２Ａを山折り線１０を介して連結し、この第１の蓋フラップ２Ａは、第１の側壁片１Ａとの山折り線１０に沿って、両端を連結して全長を第１の側壁片１Ａに連結される山折り線１０よりも短くしている挿入スリット４を設けると共に、閉塞プレート部５の端縁に山折り線１０を介して、挿入スリット４に脱着できるように挿入される挿入脱着片６を設けることができる。
【００１２】
本明細書において、第１ないし第４の側壁片と第１ないし第４の蓋フラップは、端から順番に第１、第２、第３、第４の側壁片及び蓋フラップとする。さらに、本明細書において「約４５度」とは、４０ないし５０度の範囲を含むものとする。さらに、本明細書において、第１ないし第４の側壁片の間の山折り線に交差する方向を幅方向、山折り線に平行な方向を長さ方向とする。
【発明の効果】
【００１３】
本発明の収納箱は、蓋フラップが箱本体を閉塞する状態で、蓋フラップの隙間から害虫等が侵入するのを阻止できる特徴がある。この特徴は、箱本体の開口部の全体を閉塞する閉塞プレート部を設けている蓋フラップの両側に設けている蓋フラップを、谷折り線で連結されるラップ部と隙間閉塞部とし、このラップ部を山折り線で側壁片に連結して、隙間閉塞部を山折り線で閉塞プレート部に連結し、閉塞プレート部が箱本体の開口部を閉塞する状態で、ラップ部と閉塞プレート部との間に、隙間閉塞部を積層する構造で実現する。この構造の収納箱は、隙間閉塞部と閉塞プレート部との間の山折り線の復元力で、隙間閉塞部をラップ部に向かって押圧し、また、ラップ部と側壁片との間の山折り線の復元力でラップ部を隙間閉塞部に押圧するので、ラップ部と隙間閉塞部とが隙間なく密着して、閉塞プレート部の内面にできる隙間を理想的な状態で閉塞して、ここから害虫が侵入するのを有効に防止する。
【００１４】
また、本発明の請求項２の収納箱は、ラップ部と隙間閉塞部との間の谷折り線の一部に、一端又は両端部を残して切断線を設けているので、ラップ部と隙間閉塞部との谷折り線をスムーズに谷折りできる。また、この収納箱は、蓋フラップで箱本体の開口部を閉塞する状態、すなわちラップ部と隙間閉塞部との間の谷折り線を谷折りする状態で、谷折り線の復元力を小さくして、ラップ部と隙間閉塞部の密着をよくできる。それは、この谷折り線は長くなると、復元力が強くなって、ラップ部と隙間閉塞部とを離す方向に作用する。しかしながら、この収納箱は、谷折り線の一部を切断線として短くしているので、復元力が小さく、復元力がラップ部と隙間閉塞部とを離す力を弱くして、両者を隙間なく密着できる。
【００１５】
また、本発明の請求項３の収納箱は、切断線が、一端に傾斜切断線を設けて、切断線の端部を谷折り線に連結しているので、谷折り線を谷折りする状態で、切断線を設けた部分をより隙間なく接近できる。とくに、請求項４の収納箱は、両端に傾斜切断線を設けて、切断線の端部を谷折り線に連結しているので、切断線を設けた部分をさらに隙間なく接近できる。
【００１６】
また、本発明の請求項５と６の収納箱は、閉塞プレート部と箱本体との隙間を確実に閉塞して、閉塞プレート部の全周からの害虫侵入を確実に阻止できる特徴がある。本発明の請求項５の収納箱は、この特徴を実現するために、第１の蓋フラップをラップ部の上に積層して蓋フラップで箱本体を閉塞し、さらに、第１の蓋フラップの両側縁は山折り線に対して約４５度に傾斜する形状とし、また、隙間閉塞部の切断縁も山折り線に対して約４５度に傾斜する形状として、第１の蓋フラップ及び隙間閉塞部の切断縁を互いに接近する状態として、ラップ部の上面に積層するようにしている。
【００１７】
また、本発明の請求項６の収納箱は、蓋フラップが箱本体を閉塞する状態で、第１の蓋フラップをラップ部の下に積層し、第１の蓋フラップでラップ部を隙間閉塞部に押圧して、閉塞プレート部の両側において、ラップ部と隙間閉塞部を閉塞して、ここから害虫が侵入するのを阻止する。第１の蓋フラップは、側壁片と間の山折り線の復元力でラップ部を内面から隙間閉塞部に向かって押圧する。このため、ラップ部が閉塞プレート部に押圧されて、閉塞プレート部の両側で閉塞プレート部の内面にできる隙間が閉塞される。
【００１８】
さらに、本発明の請求項７の収納箱は、第１の側壁片と第１の蓋フラップとの山折り線に沿って挿入スリットを設けると共に、この挿入スリットに脱着できるように挿入される挿入脱着片を閉塞プレート部の端縁に設けているので、この挿入脱着片を挿入スリットに挿入して、簡単かつ容易に蓋フラップで箱本体の開口部を閉塞できる。とくに、第１の蓋フラップは、両端を連結して挿入スリットの全長を山折り線よりも短くしているので、挿入脱着片の幅を狭くしてスムーズに挿入スリットに挿入できる。しかも、この収納箱は、横幅の狭い挿入脱着片をスムーズに挿入スリットに出し入れできる構造としながら、挿入脱着片の両側にできる閉塞プレート部と箱本体との隙間を確実に閉塞して、閉塞プレート部の全周からの害虫侵入を確実に阻止できる特徴がある。
【発明を実施するための最良の形態】
【００１９】
以下、本発明の実施例を図面に基づいて説明する。ただし、以下に示す実施例は、本発明の技術思想を具体化するための収納箱を例示するものであって、本発明は収納箱を以下のものに特定しない。
【００２０】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２１】
図３ないし図８の展開図に示す物品の収納箱は、たとえば医薬品を収納する。これらの図の収納箱は、紙製のシートを裁断して製作されるが、紙に代わって、プラスチックシート等のシート材であって、折曲線で折曲できる全てのシート材を裁断して製作できる。ただ、プラスチック製のシートは、展開図に示すシート状に成形して製作することもできる。図の展開図に示す収納箱は、第１ないし第４の側壁片を山折り線１０を介して連結して四角筒状の箱本体１とする。さらに、各々の側壁片の端縁に底フラップ３と蓋フラップ２を連結している。底フラップ３は、箱本体１の底の開口部を閉塞し、蓋フラップ２は箱本体１の上端の端開口部を閉塞する。
【００２２】
図３ないし図８の収納箱は、第１ないし第４の側壁片を同じ形状の長方形としている。この側壁片は、山折り線１０で直角に折曲されて、正四角筒状の箱本体１となる。ただ、本発明の収納箱は、箱本体を正四角筒状には特定しない。収納箱は、箱本体を正四角筒状でない四角筒状とすることができる。第１ないし第４の側壁片を角筒状に連結するために、図の収納箱は、第１の側壁片１Ａの側縁に沿ってノリシロ片１Ｅを設けている。このノリシロ片１Ｅは、第４の側壁片１Ｄの側縁部であって、その内面に接着されて、第１ないし第４の側壁片を筒状に連結する。
【００２３】
さらに、図の収納箱は、第１の側壁片１Ａに第１の底フラップ３Ａを、第２の側壁片１Ｂに第２の底フラップ３Ｂを、第３の側壁片１Ｃに第３の底フラップ３Ｃを、第４の側壁片１Ｄに第４の底フラップ３Ｄを、各々山折り線１０を介して連結して、第１ないし第４の底フラップ３で箱本体１の底開口部を閉塞する。図の底フラップ３は、第１の底フラップ３Ａと第３の底フラップ３Ｃにノリシロ片３Ｅ、３Ｆを設けている。第１のノリシロ片３Ｅは、第２の底フラップ３Ｂに接着され、第３のノリシロ片３Ｆは第４の底フラップ３に接着されて、第１ないし第４の底フラップ３で箱本体１の底開口部を開閉しないように閉塞する。
【００２４】
さらにまた、図の収納箱は、第１の側壁片１Ａに第１の蓋フラップ２Ａを、第２の側壁片１Ｂに第２の蓋フラップ２Ｂを、第３の側壁片１Ｃに第３の蓋フラップ２Ｃを、第４の側壁片１Ｄに第４の蓋フラップ２Ｄを、各々山折り線１０を介して連結している。
【００２５】
第１の蓋フラップ２Ａは、第１の側壁片１Ａとの山折り線１０に沿って、両端を連結して全長を第１の側壁片１Ａに連結される山折り線１０よりも短くしている挿入スリット４を設けている。挿入スリット４は、山折り線１０に沿って設けている中間スリット４Ａと、この中間スリット４Ａの両側に山折り線１０に対して傾斜する傾斜スリット４Ｂを設けている。この形状の挿入スリット４は、第１の蓋フラップ２Ａと第１の側壁片１Ａの間の山折り線１０を折曲する状態で、図９に示すように、挿入スリット４の間隔が広くなって、挿入脱着片６をスムーズに挿入できる。また挿入スリット４の外側にガイド凸条１３が設けられ、これに沿って挿入脱着片６をよりスムーズに挿入できる。
【００２６】
また、図３ないし図８の第１の蓋フラップ２Ａは、両側切断縁１２を第１の側壁片１Ａとの山折り線１０に対して角度α傾斜させている。図の第１の蓋フラップ２Ａは、傾斜角αを約４５度としている。この傾斜角αは、３０度ないし６０度の範囲にできる。この傾斜角αは、３０度よりも小さくても、また６０度よりも大きくても、閉塞プレート部５の内面から害虫が侵入しやすくなる。それは、傾斜角αが第１の蓋フラップ２Ａと隙間閉塞部８との境界を決定するからである。傾斜角αが小さすぎると、閉塞プレート部５が箱本体１の開口部を閉塞する状態で、第１の蓋フラップ２Ａと隙間閉塞部８との境界が第１の蓋フラップ２Ａと第１の側壁片１Ａとの山折り線１０に接近して害虫が侵入しやすくなり、また、傾斜角αが大きすぎると、隙間閉塞部８の切断縁８Ａの傾斜角を小さくして隙間閉塞部８が小さくなるからである。隙間閉塞部８の切断縁８Ａが、第３の蓋フラップ２Ｃとの山折り線１０となす傾斜角は（９０−α）としているので、傾斜角αが大きくなると隙間閉塞部８の切断縁８Ａがなす傾斜角が小さくなる。したがって、傾斜角αは害虫の侵入を有効に阻止するために、前述の範囲とする。
【００２７】
第１の蓋フラップ２Ａの長さは、第２の蓋フラップ２Ｂのラップ部７の長さよりも短くしている。正確には、第１の蓋フラップ２Ａの長さ（Ｌ1）は、第１の側壁片１Ａと第２の側壁片１Ｂの間の山折り線１０と、ラップ部７と隙間閉塞部８との境界を通過する境界ラインとの間隔（Ｗ1）よりも短い。この第１の蓋フラップ２Ａは、ラップ部７の上に積層して、先端の切断縁が隙間閉塞部８に当たることがない。本発明の収納箱は、第１の蓋フラップ２Ａをラップ部７の内側に配設できる。この収納箱は、第１の蓋フラップ２Ａの長さ（Ｌ1）を、前述の山折り線１０と境界ラインとの間隔（Ｗ1）よりも長くできる。第１の蓋フラップ２Ａをラップ部７の内側に配置し、隙間閉塞部８をラップ部７の外側に配設して、第１の蓋フラップ２Ａと隙間閉塞部８とが当接するのを阻止できるからである。
【００２８】
第３の蓋フラップ２Ｃは、箱本体１の開口部の外形とする四角形の閉塞プレート部５と、この閉塞プレート部５の端縁に山折り線１０を介して連結されて、挿入スリット４に脱着できるように挿入される挿入脱着片６を設けている。図の収納箱は、箱本体１を正四角筒状とするので、閉塞プレート部５を正方形としている。すなわち、閉塞プレート部５の外形を、箱本体１の開口部の形状に等しくしている。本発明の収納箱は、箱本体を必ずしも正四角筒状としない。したがって、閉塞プレート部は、四角筒状の箱本体の開口部を閉塞できるように、箱本体の開口部の形状に等しい外形とされる。
【００２９】
挿入脱着片６は、第１の蓋フラップ２Ａと第１の側壁片１Ａとの間に設けている挿入スリット４に入れられて、閉塞プレート部５を箱本体１に連結する。図の収納箱は、挿入スリット４の両側に連結部を設けて、挿入スリット４を、第１の蓋フラップ２Ａと第１の側壁片１Ａとの間の山折り線１０よりも短くしている。ここに挿入される挿入脱着片６は、閉塞プレート部５の横幅、いいかえると第３の側壁片１Ｃの横幅よりも横幅を狭くしている。さらに、図に示す収納箱は、挿入脱着片６の両側に切込み１５を設けている。切込み１５は、挿入脱着片６と閉塞プレート部５の間の山折り線１０に沿って設けている。この挿入脱着片６は、挿入スリット４に入れた状態で、切込み１５を挿入スリット４の両側に係止して、挿入脱着片６が抜けるのを防止できる。
【００３０】
第２の蓋フラップ２Ｂは、山折り線１０を介して第２の側壁片１Ｂに連結しているラップ部７と、閉塞プレート部５に山折り線１０を介して連結している隙間閉塞部８とを備える。第４の蓋フラップ２Ｄも、山折り線１０を介して第４の側壁片１Ｄに連結しているラップ部７と、閉塞プレート部５に山折り線１０を介して連結している隙間閉塞部８とを備える。第２の蓋フラップ２Ｂと第４の蓋フラップ２Ｄに設けているラップ部７と隙間閉塞部８は、谷折り線１１を介して連結している。
【００３１】
ラップ部７は、閉塞プレート部５の内面に配設されて積層されないように配置されるように、側壁片との境界にある山折り線１０から切断縁７Ａまでの長さ（Ｌ2）を、閉塞プレート部５の幅（Ｌ3）の半分よりも短くしている。ラップ部７は、挿入脱着片６を挿入スリット４に入れて、箱本体１の開口部を蓋フラップ２で閉塞する状態で、一対のラップ部７の隙間が２０ｍｍ以下、好ましくは１５ｍｍ以下、さらに好ましくは１０ｍｍ以下となる長さとする。
【００３２】
隙間閉塞部８は、全体の形状を三角形としている。三角形の隙間閉塞部８は、閉塞プレート部５に連結される山折り線１０を最も長い底辺とし、ラップ部７との境界である谷折り線１１と切断縁８Ａをふたつの斜辺としている。さらに、隙間閉塞部８は、ひとつの斜辺である切断縁８Ａが、山折り線１０に対してなす傾斜角を（９０−α）としている。このαは、第１の蓋フラップ２Ａの両側切断縁１２が山折り線１０に対してなす角度であって、３０度ないし６０度の範囲にある。したがって、隙間閉塞部８の切断縁８Ａが山折り線１０に対してなす角度は、６０度ないし３０度の範囲とする。図の収納箱は、第１の蓋フラップ２Ａの両側切断縁１２の傾斜角を約４５度とするので、隙間閉塞部８の切断縁８Ａが山折り線１０に対してなす角度も約４５度としている。
【００３３】
第１の蓋フラップ２Ａの両側切断縁１２の傾斜角をαとし、隙間閉塞部８の切断縁８Ａの傾斜角を（９０−α）とする収納箱は、図９ないし図１１に示すように、第１の蓋フラップ２Ａと隙間閉塞部８とをラップ部７の上面に配設して、互いの切断縁である両側切断縁１２と切断縁８Ａとを平行にして接近できる。このため、第１の蓋フラップ２Ａの両側切断縁１２と隙間閉塞部８の切断縁８Ａとの間にできる隙間を狭くして、ここから害虫が侵入するのを防止できる。
【００３４】
以上の構造の収納箱は、挿入脱着片６を挿入スリット４に挿入する状態で、ラップ部７と隙間閉塞部８とが谷折り線１１で折り返すように折曲され、図１２と図１３の断面図に示すように、互いに積層されるラップ部７と閉塞プレート部５との間に、折曲線１４を介して連結される隙間閉塞部８が配設される。したがって、この構造の収納箱は、ラップ部７と閉塞プレート部５との隙間を隙間閉塞部８で閉塞して、この隙間から害虫が侵入するのを確実に防止できる。
【００３５】
さらに、図３ないし図７の収納箱は、ラップ部７と隙間閉塞部８の谷折り線１１の一部に切断線９を設けている。切断線９は、谷折り線１１の一端又は両端部を残して設けられる。図３ないし図５の収納箱は、谷折り線１１の両側を残して切断線９を設けている。また、図６と図７の収納箱は、谷折り線１１の片側であって、切断縁８Ａに接近する部分を残して切断線９を設けている。さらに、図３の収納箱は、切断線９の両側に傾斜切断線９Ｂを設けている。図５と図６の収納箱は、切断線９の一端に傾斜切断線９Ｂを設けている。端部に傾斜切断線９Ｂを設けている切断線９は、両端を谷折り線１１に連結している。図４と図７に示す直線状の切断線９は、谷折り線１１と同一直線上に配設される。以上のように、谷折り線１１の一部に切断線９を設ける収納箱は、ラップ部７と隙間閉塞部８の谷折り線１１をスムーズに折曲できる。また、端部又は両端に傾斜切断線９Ｂを設けている収納箱は、谷折り線１１を折曲する状態で、切断線９の対向縁を互いに離して配置できるので、よりスムーズに折曲できる。ただし、本発明の収納箱は、図８の展開図に示すように、ラップ部７と隙間閉塞部８の谷折り線１１に切断線を設けない形態とすることもできる。
【００３６】
以上の収納箱は、以下のようにして箱本体１の開口部を閉塞する。
(1)  第１ないし第４の側壁片の間の山折り線１０を直角に折曲し、第１の側壁片１Ａの側縁に設けているノリシロ片１Ｅを第４の側壁片１Ｄの内面に接着して、箱本体１を四角筒状とする。
(2)  底フラップ３のノリシロ片３Ｅ、３Ｆを接着して、底フラップ３で箱本体１の底面開口部を閉塞する。
(3)  箱本体１に物品を収納する。
(4)  ラップ部７と隙間閉塞部８との間の谷折り線１１を折曲しながら、第２、第４の蓋フラップ２と第２、第４の側壁片との間の山折り線１０と、閉塞プレート部５と隙間閉塞部８との間の山折り線１０を折曲し、さらに第１の蓋フラップ２Ａと第１の側壁片１Ａとの山折り線１０を折曲して、ラップ部７と閉塞プレート部５との間に第１の蓋フラップ２Ａを積層して、挿入脱着片６を挿入スリット４に挿入する。このとき、挿入脱着片６と閉塞プレート部５との山折り線１０が直角に折曲される。
【００３７】
以上の状態で、図９ないし図１３に示すように、ラップ部７、第１の蓋フラップ２Ａ及び隙間閉塞部８、閉塞プレート部５の順番に積層されて、箱本体１の開口部が閉塞される。この状態で開口部を閉塞する蓋フラップ２は、ラップ部７と閉塞プレート部５との間に、第１の蓋フラップ２Ａと隙間閉塞部８とを同一面に配設し、第１の蓋フラップ２Ａと隙間閉塞部８とで、閉塞プレート部５の内側にできる隙間を閉塞する。したがって、この状態で、閉塞プレート部５の内面にできる隙間からの害虫の侵入を阻止する。
【００３８】
また、収納箱は以下のようにして開口部を閉塞することもできる。
(1)  第１ないし第４の側壁片の間の山折り線１０を直角に折曲し、第１の側壁片１Ａの側縁に設けているノリシロ片１Ｅを第４の側壁片１Ｄの内面に接着して、箱本体１を四角筒状とする。
(2)  底フラップ３のノリシロ片３Ｅ、３Ｆを接着して、底フラップ３で箱本体１の底面開口部を閉塞する。
(3)  箱本体１に物品を収納する。
(4)  図１４に示すように、第１の蓋フラップ２Ａを山折り線１０で内側に折曲する。その後、ラップ部７と隙間閉塞部８との間の谷折り線１１を折曲しながら、第２、第４の蓋フラップ２と第２、第４の側壁片との間の山折り線１０と、閉塞プレート部５と隙間閉塞部８との間の山折り線１０を折曲し、さらに、挿入脱着片６と閉塞プレート部５との山折り線１０を折曲して、挿入脱着片６を挿入スリット４に挿入する。
【００３９】
以上の状態で、第１の蓋フラップ２Ａ、ラップ部７、隙間閉塞部８、閉塞プレート部５の順番に積層されて、箱本体１の開口部が閉塞される。この状態で開口部を閉塞する蓋フラップ２は、第１の蓋フラップ２Ａの山折り線１０の復元力で、ラップ部７を弾性的に押し上げ、ラップ部７が閉塞プレート部５の内面に接近する。また、ラップ部７と閉塞プレート部５との間には隙間閉塞部８が積層されて、ラップ部７と閉塞プレート部５との間の隙間が閉塞される。このため、閉塞プレート部５の内面にできる隙間から害虫が侵入するのを防止できる。
【００４０】
以上の実施例の収納箱は、第１の側壁片１Ａに第１の蓋フラップ２Ａを連結して設けている。ただ、本発明の収納箱は、必ずしも、第１の側壁片に第１の蓋フラップを連結する必要はない。第１の蓋フラップのない収納箱であっても、隙間閉塞部と閉塞プレート部との間の山折り線の復元力で、隙間閉塞部をラップ部に向かって押圧し、また、ラップ部と側壁片との間の山折り線の復元力でラップ部を隙間閉塞部に押圧して、ラップ部と隙間閉塞部とを隙間なく密着できるからである。この収納箱は、たとえば、第３の蓋フラップの挿入脱着片を第１の側壁片の開口縁とラップ部の側縁との隙間に挿入して、箱本体の開口部を閉塞プレート部で閉塞できる。
【００４１】
さらに、以上の実施例の収納箱は、閉塞プレート部５の端縁に連結された挿入脱着片６を挿入する挿入スリット４を第１の蓋フラップ２Ａに設けており、挿入脱着片６を挿入スリット４に脱着自在に挿入して、開口部を閉塞するようにしている。ただ、本発明の収納箱は、必ずしも挿入スリットや挿入脱着片を設ける必要はない。挿入スリットのない収納箱は、第３の蓋フラップの挿入脱着片を第１の側壁片の開口縁部や第１の蓋フラップに直接接着して、あるいは、テープ等の脱着部材を介して連結できる。また、挿入脱着片のない収納箱も、閉塞プレート部の先端縁をテープ等の脱着部材を介して第１の側壁片の開口縁部や第１の蓋フラップに連結することができる。
【図面の簡単な説明】
【００４２】
【図１】従来の物品の収納箱の一例を示す展開図である。
【図２】図１に示す収納箱の蓋フラップの内面に隙間ができる状態を示す断面図である。
【図３】本発明の一実施例にかかる物品の収納箱の展開図である。
【図４】本発明の他の実施例にかかる物品の収納箱の展開図である。
【図５】本発明の他の実施例にかかる物品の収納箱の展開図である。
【図６】本発明の他の実施例にかかる物品の収納箱の展開図である。
【図７】本発明の他の実施例にかかる物品の収納箱の展開図である。
【図８】本発明の他の実施例にかかる物品の収納箱の展開図である。
【図９】本発明の一実施例にかかる物品の収納箱の開口部を蓋フラップで閉塞する状態を示す斜視図である。
【図１０】本発明の一実施例にかかる物品の収納箱の開口部を蓋フラップで閉塞した状態を示す平面図である。
【図１１】図１０に示す収納箱のＡ−Ａ線断面図である。
【図１２】図１０に示す収納箱のＢ−Ｂ線断面図である。
【図１３】図１０に示す収納箱のＣ−Ｃ線断面図である。
【図１４】本発明の他の実施例にかかる物品の収納箱の開口部を蓋フラップで閉塞する状態を示す斜視図である。
【符号の説明】
【００４３】
１…箱本体              １Ａ…第１の側壁片
１Ｂ…第２の側壁片
１Ｃ…第３の側壁片
１Ｄ…第４の側壁片
１Ｅ…ノリシロ片
２…蓋フラップ          ２Ａ…第１の蓋フラップ
２Ｂ…第２の蓋フラップ
２Ｃ…第３の蓋フラップ
２Ｄ…第４の蓋フラップ
３…底フラップ          ３Ａ…第１の底フラップ
３Ｂ…第２の底フラップ
３Ｃ…第３の底フラップ
３Ｄ…第４の底フラップ
３Ｅ…ノリシロ片
３Ｆ…ノリシロ片
４…挿入スリット        ４Ａ…中間スリット
４Ｂ…傾斜スリット
５…閉塞プレート部
６…挿入脱着片
７…ラップ部            ７Ａ…切断縁
８…隙間閉塞部          ８Ａ…切断縁
９…切断線              ９Ａ…傾斜切断線
１０…山折り線
１１…谷折り線
１２…両側切断縁
１３…ガイド凸条
１４…折曲線
１５…切込み
２１…箱本体
２２…蓋フラップ
２３…底フラップ
２４…挿入スリット
２６…挿入脱着片
３０…山折り線
【図１】
2007223648.tif 000003
【図２】
2007223648.tif 000004
【図３】
2007223648.tif 000005
【図４】
2007223648.tif 000006
【図５】
2007223648.tif 000007
【図６】
2007223648.tif 000008
【図７】
2007223648.tif 000009
【図８】
2007223648.tif 000010
【図９】
2007223648.tif 000011
【図１０】
2007223648.tif 000012
【図１１】
2007223648.tif 000013
【図１２】
2007223648.tif 000014
【図１３】
2007223648.tif 000015
【図１４】
2007223648.tif 000016